(57)【要約】    【課題】  特性を改善するために直列腕共振子及び／または並列腕共振子に電気的抵抗が付加された構造を備えたラダー型フィルタであって、部品点数の低減、組立工程の簡略化及びコストの低減を果たし得る構造を備えたラダー型フィルタを提供する。    【解決手段】  少なくとも１個の直列腕共振子及び少なくとも１個の並列腕共振子を有するラダー型フィルタであって、直列腕共振子及び並列腕共振子の内少なくとも１つの共振子が、第１，第２の主面２ａ，２ｂを結ぶ厚み方向に分極された圧電板２と圧電板２の第１，第２の主面２ａ，２ｂに形成された第１，第２の共振電極３，４とを有し、第２の主面２ｂにおいて外側に設けられた環状の第２の共振電極４と、第２の共振電極４の内側に設けられた端子電極５とが抵抗膜６により接続されている圧電共振子である、ラダー型フィルタ。【選択図】      図１
2006319888.tif 000002
【特許請求の範囲】
【請求項１】
少なくとも１個の直列腕共振子と、少なくとも１個の並列腕共振子とを備えるラダー型フィルタであって、
前記直列腕共振子及び並列腕共振子の内の少なくとも１つの共振子が、第１，第２の主面を有し、第１，第２の主面を結ぶ厚み方向に分極された圧電板と、該圧電板の第１の主面に形成された第１の共振電極と、第１の共振電極と対向する領域を有するように前記第２の主面に形成された環状の第２の共振電極と、前記第２の主面において第２の共振電極の内周縁と隔てられて第２の共振電極の内側に設けられた端子電極と、該端子電極と第２の共振電極とを接続するように第２の主面に設けられた抵抗膜とを備える圧電共振子であることを特徴とする、ラダー型フィルタ。
【請求項２】
前記第１の共振電極が、前記圧電板の第１の主面において部分的に設けられている、請求項１に記載のラダー型フィルタ。
【請求項３】
前記抵抗膜が前記第２の共振電極の内周縁と、前記端子電極の外周縁とを接続するように構成された環状の抵抗膜である、請求項１または２に記載のラダー型フィルタ。
【請求項４】
前記直列腕共振子及び並列腕共振子の双方が、前記圧電板と、第１，第２の共振電極と抵抗膜と前記端子電極を備える圧電共振子である、請求項１〜３のいずれか１項に記載のラダー型フィルタ。
【請求項５】
対向し合う第１，第２の主面を有し、第１，第２の主面を結ぶ方向である厚み方向に分極処理された圧電板と、
前記第１の主面に形成された第１の共振電極と、
前記第１の共振電極と対向する領域を有するように第２の主面に形成された環状の第２の共振電極と、該第２の主面において第２の共振電極の内周縁とを隔てられて、第２の共振電極の内側に設けられた端子電極と、該端子電極と第２の共振電極とを結ぶように第２の主面に設けられた抵抗膜とを備えることを特徴とする、圧電共振子。
【請求項６】
前記第１の共振電極が、前記圧電板の第１の主面において部分的に形成されている、請求項５に記載の圧電共振子。
【請求項７】
前記抵抗膜が、環状抵抗膜であり、前記第２の共振電極の内周縁と前記端子電極の外周縁とを接続している、請求項５または６に記載の圧電共振子。
【発明の詳細な説明】
【技術分野】
【０００１】
本発明は、少なくとも１個の直列腕共振子及び少なくとも１個の並列腕共振子を有するラダー型フィルタ及び該ラダー型フィルタに用いられる圧電共振子に関し、より詳細には、直列腕共振子及び／または並列腕共振子として用いられる圧電共振子の構造が改良されたラダー型フィルタ及び該圧電共振子に関する。
【背景技術】
【０００２】
従来、拡がり振動を利用した複数の圧電共振子を用いて構成されたラダー型フィルタが広く使用されている。ラダー型フィルタでは、入力端と出力端とを結ぶ直列腕に少なくとも１個の直列腕共振子が挿入されており、該直列腕とグラウンド電位との間に延びるように少なくとも１個の並列腕が配置されており、各並列腕に少なくとも１個の並列腕共振子が挿入されている。
【０００３】
この種のラダー型フィルタは、例えば下記の特許文献１や特許文献２に開示されている。図１０は、特許文献１に開示されているラダー型フィルタを略図的に示す正面図である。
【０００４】
ラダー型フィルタ１０１では、第１，第２の直列腕共振子１０２，１０３と、第１，第２の並列腕共振子１０４，１０５とにより、４共振子２段構成のラダー型フィルタが構成されている。
【０００５】
上記直列腕共振子１０２，１０３及び並列腕共振子１０４，１０５は、いずれも正方形板状の圧電板の両主面に共振電極を形成してなる拡がりモードを利用した圧電共振子により構成されている。ラダー型フィルタでは、直列腕共振子の端子間容量をＣｓ、並列腕共振子の端子間容量Ｃｐとしたとき、Ｃｓ＜Ｃｐとなるように設計する必要がある。
【０００６】
そこで、図１０に示す直列腕共振子１０２，１０３では、圧電板１０２ａ，１０３ａを介して対向している共振電極１０２ｂ，１０２ｃ，１０３ｂ，１０３ｃの内、一方の共振電極１０２ｂ，１０３ｂの面積が小さくされている。他方、並列腕共振子１０４，１０５では、圧電板１０４ａ，１０５ａの両主面の全面に共振電極１０４ｂ，１０４ｃ，１０５ｂ，１０５ｃが形成されている。
【０００７】
ラダー型フィルタ１０１では、入力端子としてのリード端子１０６と、出力端子としてのリード端子１０７との間に、直列腕共振子１０２、並列腕共振子１０４，１０５及び直列腕共振子１０３がこの順序で積層されている。また、リード端子１０６，１０７は、それぞれ、直列腕共振子１０２，１０３側に突出した凸状接点部１０６ａ，１０７ａを有する。
【０００８】
他方、直列腕共振子１０２と、並列腕共振子１０４との間には、リード端子１０８及び端子板１０９が配置されている。リード端子１０８は、直列腕共振子１０２側に突出している接点部１０８ａを有し、端子板１０９は、並列腕共振子１０４側に突出した接点部１０９ａを有する。同様に、並列腕共振子１０４，１０５間にも、リード端子１１０、端子板１１１が配置されており、並列腕共振子１０５と直列腕共振子１０３との間にもリード端子１１２及び端子板１１３が配置されている。
【０００９】
リード端子１１０はグラウンド電位に接続されるリード端子である。また、リード端子１０８とリード端子１１２とがケース内で電気的に接続される。このようにして、４共振子２段構成のラダー型フィルタ回路が実現される。
【００１０】
ところで、ラダー型フィルタ１０１では、リード端子１０６と直列腕共振子１０２との間に、異方導電性ゴムシート１１４が挿入されている。同様に、端子板１０９と並列腕共振子１０４との間、端子板１１１と並列腕共振子１０５との間、端子板１１３と直列腕共振子１０３との間にも、異方導電性ゴムシート１１４が挿入されている。
【００１１】
この異方導電性ゴムシート１１４は、絶縁性ゴムシートにおいて、両主面を結ぶ方向に延びる線状の導電性カーボンにより多数の導電路が形成されている構造を有する。従って、シートの面方向においては絶縁性を有するが、シートの主面を結ぶ厚み方向においては電気的接続機能を有する。
【００１２】
異方導電性ゴムシート１１４は上記構造を有するため、ある程度の電気的抵抗を有する。そして、ラダー型フィルタ１０１では、上記異方導電性ゴムシート１１４を挿入することにより、その電気的抵抗により、直列腕共振子１０２，１０３あるいは並列腕共振子１０４，１０５の見かけ上のＱが低下され、それによって群遅延時間特性が改善されるとされている。
【００１３】
他方、特許文献２に記載のラダー型フィルタにおいても、ラダー型フィルタを構成している圧電共振子にダンピング抵抗を接続することにより群遅延時間特性を改善し得る旨が示されている。また、特許文献２においても、上記ダンピング抵抗を、ラダー型フィルタの内部部品抑え部材に設けた構成が示されている。
【特許文献１】実開昭５６−１２１３３４
【特許文献２】特開昭６０−２６４１１３
【発明の開示】
【発明が解決しようとする課題】
【００１４】
特許文献１，２に記載のように、圧電共振子からなる直列腕共振子や並列腕共振子に、導電性ゴムシートなどを積層し、その電気抵抗により群遅延時間特性を改善し得ることが知られていた。しかしながら、上記導電性ゴムシート等を挿入するため部品点数が増大し、かつコストが高くつくという問題があった。
【００１５】
加えて、異方導電性ゴムシート１１４をリード端子１０６や端子板１０９と直列腕共振子１０２もしくは並列腕共振子１０４などとの間に挿入しなければならず、ラダー型フィルタの組立が困難であるという問題があった。特に、合成樹脂からなるケース内に、直列腕共振子１０２，１０３、並列腕共振子１０４，１０５及び多数のリード端子１０６，１０７，１０８，１１０，１１２並びに端子板１０９，１１１，１１３などを異方導電性ゴムシート１１４と共に挿入する際に、異方導電性ゴムシート１１４は弾力性を有するため曲がりやすかった。そのため、組立に、特別の経験及び技能を必要とし、しかも特別の経験及び技能を必要とする作業者が組み立てた場合であっても、組立に長時間を要していた。
【００１６】
さらに、上記異方導電性ゴムシート１１４では、導電路を形成するカーボンなどの長さ、径及び配置密度等を変更することにより、抵抗値を変更することは可能であるが、所望とする抵抗値の導電性ゴムシート１１４を用意するのに時間がかかり、かつ変更に余分なコストがかかるという問題があった。
【００１７】
本発明の目的は、上述した従来技術の欠点を解消し、群遅延時間特性等を改善するための抵抗の付加、及び該抵抗値の変更が容易であり、かつ部品点数が少なく、組立が容易であり、安価に提供され得るラダー型フィルタを提供することにある。
【００１８】
本発明の他の目的は、例えば上記ラダー型フィルタに用いるのに適しており、所望とする抵抗値が共振部に付加されており、かつ該抵抗値の変更が容易である圧電共振子を提供することにある。
【課題を解決するための手段】
【００１９】
本発明のある広い局面によれば、少なくとも１個の直列腕共振子と、少なくとも１個の並列腕共振子とを備えるラダー型フィルタであって、前記直列腕共振子及び並列腕共振子の内の少なくとも１つの共振子が、第１，第２の主面を有し、第１，第２の主面を結ぶ厚み方向に分極された圧電板と、該圧電板の第１の主面に形成された第１の共振電極と、第１の共振電極と対向する領域を有するように前記第２の主面に形成された環状の第２の共振電極と、前記第２の主面において第２の共振電極の内周縁と隔てられて第２の共振電極の内側に設けられた端子電極と、該端子電極と第２の共振電極とを接続するように第２の主面に設けられた抵抗膜とを備える圧電共振子であることを特徴とする、ラダー型フィルタが提供される。
【００２０】
本発明に係るラダー型フィルタのある特定の局面では、前記第１の共振電極が、前記圧電板の第１の主面において部分的に設けられている。
【００２１】
本発明に係るラダー型フィルタの他の特定の局面では、前記抵抗膜が前記第２の共振電極の内周縁と、前記端子電極の外周縁とを接続するように構成された環状の抵抗膜により構成されている。
【００２２】
本発明に係るラダー型フィルタのさらに他の特定の局面では、前記直列腕共振子及び並列腕共振子の双方が、前記圧電板と、第１，第２の共振電極と抵抗膜と前記端子電極を備える圧電共振子により構成されている。
【００２３】
本発明に係る圧電共振子は、対向し合う第１，第２の主面を有し、第１，第２の主面を結ぶ方向である厚み方向に分極処理された圧電板と、前記第１の主面に形成された第１の共振電極と、前記第１の共振電極と対向する領域を有するように第２の主面に形成された環状の第２の共振電極と、該第２の主面において第２の共振電極の内周縁とを隔てられて、第２の共振電極の内側に設けられた端子電極と、該端子電極と第２の共振電極とを結ぶように第２の主面に設けられた抵抗膜とを備えることを特徴とする。
【００２４】
本発明に係る圧電共振子のある特定の局面では、前記第１の共振電極が、前記圧電板の第１の主面において部分的に形成されている。
【００２５】
本発明に係る圧電共振子のさらに他の特定の局面では、前記抵抗膜が、環状抵抗膜であり、前記第２の共振電極の内周縁と前記端子電極の外周縁とを接続している。
【発明の効果】
【００２６】
ラダー型フィルタでは、直列腕共振子及び並列腕共振子の内少なくとも１つの共振子が、第１，第２の主面を結ぶ方向である厚み方向に分極された圧電板の第１，第２の主面に第１，第２の共振電極が形成されており、第２の共振電極が第２の主面に設けられた環状の電極からなり、該第２の共振電極の内周縁と隔てられて、第２の主面においては第２の共振電極の内側に端子電極が設けられており、端子電極と第２の共振電極とを接続するように第２の主面に抵抗膜が設けられている圧電共振子により構成されているため、該抵抗膜により、圧電共振子自体において抵抗値が付加されている。
【００２７】
従って、圧電板に直接上記抵抗膜を形成することにより抵抗値が付加されるため、例えば群遅延時間特性を改善するに際し、従来技術で用いられていた抵抗値付加のための異方導電性ゴムシートを省略することができる。よって、部品点数を低減することができ、組立作業を簡略化することができる。また、組立に際し、特別な技能及び経験を必要とせず、短時間で組み立てることができる。さらに、異方導電性ゴムシートを必要としないため、コストを低減し得るだけでなく、抵抗膜の材料及び面積を変更するだけで抵抗値を容易に変更することができる。
【００２８】
よって、本発明によれば、直列腕共振子及び／または並列腕共振子に電気抵抗を付加し、例えば群遅延時間特性を改善するに際し、ラダー型フィルタの構造の簡略化、組立作業の簡略化を果たすことができ、ラダー型フィルタの小型化及びコストの低減を果たすことが可能となる。
【００２９】
本発明においては、上記抵抗膜が形成されている第２の主面とは反対側の第１の主面に設けられた第１の共振電極は、圧電板の第１の主面において全面に形成されていてもよく、部分的に設けられていてもよい。第１の共振電極が第１の主面において部分的に設けられている場合には、容量を小さくすることができる。
【００３０】
また、抵抗膜が第２の共振電極の内周縁と、端子電極の外周縁とを接続するように構成された環状の抵抗膜である場合には、第２の主面側の構造の対称性が高められ、組立に際し圧電共振子の方向性を気にすることなく容易に組立を行うことできる。また、抵抗値を小さくすることができる。
【００３１】
直列腕共振子及び並列腕共振子の双方が圧電板と、第１，第２の共振電極と抵抗膜と、端子電極とを有する場合には、直列腕共振子及び並列腕共振子の双方において所望とする抵抗値を付加することができる。
【００３２】
本発明に係る圧電共振子では、圧電板の第１の主面に第１の共振電極が形成されており、第２の主面において第２の共振電極、端子電極及び抵抗膜が形成されているため、該抵抗膜による抵抗値が共振子に接続された圧電共振子を得ることができる。よって、本発明のラダー型フィルタに用いるのに好適な圧電共振子を提供することができる。もっとも、本発明に係る圧電共振子は、本発明のラダー型フィルタに限らず、共振子に直列に所望の大きさの電気的抵抗を接続した構造を求められる用途に広く利用することができる。
【００３３】
本発明に係る圧電共振子において、第１の共振電極は、圧電板の第１の主面に部分的に形成されていてもよく、全面に形成されていてもよい。部分的に形成されている場合には、容量を小さくすることができる。
【００３４】
抵抗膜が環状抵抗膜であり、第２の共振電極の内周縁と端子電極の外周縁とを接続している場合には、圧電共振子の第２の主面の構造が方向性を有しないことになり、従って、圧電共振子を用いる場合の配置に特に注意を払う必要がなく、該圧電共振子を用いた回路を容易に組み立てることができる。また、抵抗値を容易に小さくすることができる。
【発明を実施するための最良の形態】
【００３５】
以下、図面を参照しつつ本発明の具体的な実施形態を説明することにより、本発明を明らかにする。
【００３６】
図１（ａ），（ｂ）は、本発明の一実施形態に係るラダー型フィルタに用いられる圧電共振子を示す第１の主面側から見た斜視図及び第２の主面側から見た斜視図である。
【００３７】
圧電共振子１は、正方形板状の圧電板２を有する。圧電板２は、チタン酸ジルコン酸鉛系セラミックスやチタン酸鉛系セラミックスなどの圧電セラミックスにより構成されており、第１の主面２ａと、第２の主面２ｂとを結ぶ方向である厚み方向に分極されている。
【００３８】
圧電板２の第１の主面２ａの略中央には、部分的に第１の共振電極３が形成されている。
【００３９】
他方、圧電板２の第２の主面２ｂにおいて第１の共振電極３と対向する領域を有するように、環状の第２の共振電極４が形成されている。従って、環状の第２の共振電極４は、環状の領域において第１の共振電極３と対向している。この第１の共振電極３と環状の第２の共振電極４とが対向している領域において、交流電界の印加により圧電効果により拡がりモードの振動が強く励振される。
【００４０】
なお、共振電極４は、本実施形態では、内周縁が正方形である角環状の形状を有するが、内周縁が正方形以外の矩形であってもよく、あるいは円形であってもよい。好ましくは、共振電極４は、等方性を有する環状の形状が望ましい。
【００４１】
第２の共振電極４の内側には、第２の共振電極４の内周縁４ａと隔てられて端子電極５が形成されている。そして、上記第２の共振電極４の内周縁４ａと、端子電極５の外周縁５ａとを接続するように、環状の抵抗膜６が形成されている。なお、本実施形態では、端子電極５が、第２の主面２ｂの中央に形成されているが、中央に限らず略中央に形成されていてもよい。また、略中央からずれた位置に端子電極５が形成されていてもよいが、好ましくは、端子電極５は第２の主面２ｂの略中央に形成される。
【００４２】
端子電極５は、圧電共振子１を電気的に接続する端子部分を構成し、ばね接点などに当接される部分である。従って、圧電共振子を機械的に支持する部分ともなり得るため、上記のように端子電極５は、第２の主面２ｂの略中央に形成されていることが望ましい。
【００４３】
図１（ｃ）に示すように、抵抗膜６は、端子電極５の外周縁５ａを超えて端子電極５内に至っており、また、共振電極４の内周縁４ａを乗り越えて共振電極４上に至っている。すなわち、抵抗膜６は、第２の共振電極４及び端子電極５を形成した後に抵抗ペーストを塗布することにより形成されている。もっとも、抵抗膜６は、第２の共振電極４及び端子電極５を接続し得る限り、第２の共振電極４及び端子電極５の形成前に形成されていてもよい。すなわち、抵抗膜６上に乗り上げるように、第２の共振電極４及び端子電極５が形成されていてもよい。
【００４４】
もっとも、本実施形態のように、第２の共振電極４上に抵抗膜６が至るように抵抗膜６が形成されていることが好ましい。それによって、第２の共振電極４と第１の共振電極３との対向面積をより高精度に設定することができる。
【００４５】
上記第１の共振電極３、第２の共振電極４及び端子電極５は、Ａｇ、Ａｌ、Ｃｕまたはこれらの合金などの適宜の金属材料により形成され得る。
【００４６】
また、抵抗膜６は、例えばカーボン粉や酸化金属粉などの適宜の抵抗体粉末を含む抵抗ペーストを塗布し、硬化させることにより形成され得る。抵抗膜６を構成する材料は、所望とする電気的抵抗値に応じて適宜選択すればよく、特に限定されるものではない。
【００４７】
本実施形態のラダー型フィルタでは、図１に示した圧電共振子１が直列腕共振子として用いられる。この場合、上記抵抗膜６により圧電共振子１では、共振子に抵抗が付加されることになる。従って、従来のラダー型フィルタにおいて抵抗値を付加するために用いられていた異方導電性ゴムシート１１４（図１０参照）を省略することができる。
【００４８】
図２（ａ），（ｂ）は、本実施形態のラダー型フィルタにおいて並列腕共振子として用いられる圧電共振子を示す各斜視図である。図２（ａ）及び（ｂ）に示すように、圧電共振子１１では、圧電板１２の第１の主面１２ａの全面に第１の共振電極１３が形成されている。第２の主面１２ｂにおいては、圧電共振子１と同様に、第２の共振電極１４、端子電極１５及び抵抗膜１６が形成されている。
【００４９】
並列腕共振子として用いられる圧電共振子１１では、第１の共振電極１３が圧電板１２の第１の主面１２ａの全面に形成されている。従って、第１の共振電極１３と、第２の共振電極１４及び端子電極１５との間の静電容量は、第１の圧電共振子１における第１の共振電極３と第２の共振電極４との間の静電容量よりも大きくされている。
【００５０】
圧電共振子１１においても、抵抗膜１６により所望とする抵抗値が付加される。従って、図１０に示した並列腕共振子１０４に用いられている異方導電性ゴムシート１１４を省略することができる。
【００５１】
図３は本実施形態のラダー型フィルタの回路構成を示す模式的回路図である。入力端子２１と出力端子２２とを結ぶ直列腕に、第１，第２の直列腕共振子Ｓ１，Ｓ２が挿入されている。この直列腕共振子Ｓ１，Ｓ２が、前述した圧電共振子１により構成されている。
【００５２】
直列腕とグラウンド電位とを結ぶ第１の並列腕に、第１の並列腕共振子Ｐ１が、直列腕とグラウンド電位とを結ぶ第２の並列腕に並列腕共振子Ｐ２が挿入されている。第１，第２の並列腕共振子Ｐ１，Ｐ２は、図３では略図的に示されているが、図２（ａ），（ｂ）に示した圧電共振子１１により構成されている。
【００５３】
本実施形態のラダー型フィルタの具体的な構造を図４に略図的正面断面図で示す。
【００５４】
ラダー型フィルタ３１は、合成樹脂からなるケース３２を有する。ケース３２は、下方に開いた開口を有するケース材３２ａと、下方の開口を閉成するようにケース材３２ａに取り付けられる板状のケース材３２ｂとを有する。ケース材３２ａ，３２ｂで閉じられた空間に、前述した圧電共振子１を用いて構成された第１，第２の直列腕共振子Ｓ１，Ｓ２及び圧電共振子１１を用いて構成された第１，第２の並列腕共振子Ｐ１，Ｐ２が収納されている。
【００５５】
また、図４から明らかなように、第１，第２の直列腕共振子Ｓ１，Ｓ２と、第１，第２の並列腕共振子Ｐ１，Ｐ２と共に、入力端子としてのリード端子３３、出力端子としてのリード端子３４、さらに他のリード端子３５〜３７及び端子板３８〜４０が挿入されている。
【００５６】
より具体的に説明すると、第１の直列腕共振子Ｓ１の第１の共振電極側に、突状接点部３３ａを有するリード端子３３が配置されている。第１の直列腕共振子Ｓ１と、第１の並列腕共振子Ｐ１との間に、端子板３８が配置されている。リード端子３５の接点部３５ａ及び端子板３８の突状接点部３８ａは、それぞれ、直列腕共振子Ｓ１の第２の共振電極及び並列腕共振子Ｐ１の第１または第２の共振電極と当接される。同様に、並列腕共振子Ｐ１，Ｐ２間に、リード端子３６及び端子板３９が配置されている。また、並列腕共振子Ｐ２と、直列腕共振子Ｓ２との間に、リード端子３７及び端子板４０が配置されている。
【００５７】
図４から明らかなように、本実施形態のラダー型フィルタ３１の組立に際しては、上記直列腕共振子Ｓ１，Ｓ２及び並列腕共振子Ｐ１，Ｐ２と、リード端子３４〜３７及び端子板３８〜４５を、ケース材３２ａの下方の開口から挿入すればよいだけである。すなわち、図１０に示した導電性ゴムシート１１４を省略することができる。よって、部品点数を低減することができる。また、組み立ても容易に行われ得る。
【００５８】
そして、上記直列腕共振子Ｓ１，Ｓ２及び並列腕共振子Ｐ１，Ｐ２が、それぞれ、圧電共振子１及び圧電共振子１１を用いて構成されている。従って、抵抗膜６，２６による抵抗値を調整することにより、所望とする電気的抵抗を直列腕共振子Ｓ１，Ｓ２や並列腕共振子Ｐ１，Ｐ２自体に内在させることができる。よって、ラダー型フィルタの群遅延時間特性を上記抵抗値を制御することにより容易に改善することができる。
【００５９】
また、上記抵抗膜６，２６により電気的抵抗を付加するため、抵抗値を変更する必要があった場合には、抵抗膜６を構成する抵抗ペーストの種類を変更したり、抵抗膜６の寸法や厚みを変更したり、環状抵抗膜を部分的な抵抗膜に変更することにより容易に対応することができる。
【００６０】
なお、上記圧電共振子１の製造方法の一例を、図５〜図９を参照して説明する。圧電共振子１を製造するに際しては、図５に第２の主面側から示す斜視図で示すように、マザーの圧電板４１を用意する。圧電板４１の第２の主面４１ｂ上に、マザーの電極４２を形成する。圧電板４１の第１の主面４１ａにも、図示しないマザーの電極を形成する。上記マザーの電極４２及び第１の主面側のマザーの電極は、Ａｇペーストの塗布・焼き付けなどの適宜の方法により行い得る。しかる後、両主面のマザーの電極４２から直流電圧を印加し、分極処理を行う。このようにして、圧電セラミックスからなる圧電板４１を厚み方向に分極処理することができる。
【００６１】
しかる後、図６（ａ），（ｂ）に示すように、マザー圧電板４１の第２の主面４１ｂ上において、電極４２が形成されている面の上に抵抗膜６を形成することが予定されている領域を除いて、レジストインク４３を塗布する。圧電板４１の第１の主面４１ａにおいても、電極を覆うようにレジストインク４４を塗布する。
【００６２】
図６（ａ）に示すように、上記レジストインク４３は、抵抗膜の形成が予定されている領域を除いて印刷されている。しかる後、上記レジストインク４３，４４を硬化させた後、レジストインク４３，４４の硬化物を除去することができないエッチング液を用いてエッチングを行う。エッチング後に、レジストインク４３，４４の硬化物を除去する。このようにして、図７（ａ）に示すように、電極４２のパターニングが行われる。電極４２においては、上記レジストインク硬化物で覆われていない部分、すなわち、抵抗膜６が形成されることが予定されている領域６ａにおいて電極が除去されている。このようにして、角環状の領域６ａにおいて電極材料が除去される。図７（ｂ）に示すように、第１の主面側の電極４５は、パターニングされない。
【００６３】
しかる後、上記角環状の領域６ａに、抵抗ペーストを印刷し、硬化させることにより、図８に示すように、角環状の抵抗膜６がマトリックス状に形成される。
【００６４】
次に、図９に矢印Ｘ，Ｙで示す方向にマザーの圧電板４１を切断することにより多数の圧電共振子１を得ることができる。
【００６５】
上記製造方法から明らかなように、圧電共振子１では、上記電極４２のパターニングに際して、その形状・寸法を変更することにより、あるいは抵抗ペーストの種類を変更することにより、抵抗膜６による抵抗値を容易に変更し得ることがわかる。
【００６６】
なお、圧電共振子１の製造方法は上記製造方法に限定されるものではない。
【００６７】
また、上記圧電共振子１，１１は、ラダー型フィルタ３１に限らず、共振子に電気的抵抗が接続されている構成が必要とされる様々な用途に用いることができる。
【００６８】
また、上記実施形態のラダー型フィルタ３１では、第１，第２の直列腕共振子Ｓ１，Ｓ２を構成する圧電共振子において、第２の主面側に第２の抵抗膜１６が設けられていたが、本発明のラダー型フィルタでは、第１，第２の並列腕共振子Ｐ１，Ｐ２も、抵抗膜１６を有する圧電共振子により構成されてもよい。
【００６９】
さらにまた、本発明のラダー型フィルタでは、第１，第２の直列腕共振子Ｓ１，Ｓ２、第１，第２の並列腕共振子Ｐ１，Ｐ２を構成する圧電共振子の少なくともいずれか１つが抵抗膜１６を有し、残りの圧電共振子は、正方形板状の両主面の全面に第１，第２の共振電極を形成した構造を有していてもよい。このような構造の圧電共振子としては、例えば図１０に示した従来の並列腕共振子１０４を例示することができる。
【図面の簡単な説明】
【００７０】
【図１】（ａ），（ｂ）は、本発明の一実施形態のラダー型フィルタに用いられる圧電共振子の第１の主面側から見た斜視図及び第２の主面側から見た斜視図をそれぞれ示し、（ｃ）は該圧電共振子の正面断面図。
【図２】（ａ），（ｂ）は、本発明の一実施形態のラダー型フィルタにおいて並列腕共振子として用いられる圧電共振子の第１の主面側から見た斜視図及び第２の主面側から見た斜視図。
【図３】本発明の一実施形態に係るラダー型フィルタの回路構成を模式的に示す回路図。
【図４】本発明の一実施形態に係るラダー型フィルタの具体的な構造を説明するための略図的正面断面図。
【図５】図１に示した圧電共振子を得るのに用意されるマザーの圧電板及びマザーの電極を示す斜視図。
【図６】（ａ），（ｂ）は、図１に示した圧電共振子を得る工程を説明するための図であり、（ａ）はレジストインクを第１の主面に塗布した状態を示す斜視図、（ｂ）は第２の主面側から見た斜視図。
【図７】図１に示した圧電共振子を得る工程を説明するための各斜視図であり、（ａ）はマザーの電極をパターニングした状態を示す第１の主面側から見た斜視図であり、（ｂ）は、第２の主面側の電極を示す斜視図。
【図８】（ａ），（ｂ）は、図１に示した圧電共振子を得る工程を説明するための各斜視図であり、（ａ）は抵抗膜が形成された第１の主面側から見た斜視図であり、（ｂ）は第２の主面側から見た圧電板の斜視図。
【図９】マザーの圧電板から多数の圧電共振子を切断する工程を説明するための斜視図。
【図１０】従来のラダー型フィルタを説明するための模式的正面図。
【符号の説明】
【００７１】
１…圧電共振子
２…圧電板
２ａ…第１の主面
２ｂ…第２の主面
３…第１の共振電極
４…第２の共振電極
４ａ…内周縁
５…端子電極
５ａ…外周縁
６…抵抗膜
６ａ…領域
１１…圧電共振子
１２…圧電板
１２ａ…第１の主面
１２ｂ…第２の主面
１３…第１の共振電極
１４…第２の共振電極
１５…端子電極
１６…抵抗膜
２１…入力端子
２２…出力端子
３１…ラダー型フィルタ
３２…ケース
３２ａ…ケース材
３２ｂ…ケース材
３３〜３７…リード端子
３８〜４０…端子板
３３ａ〜４０ａ…接点部
４１…圧電板
４１ａ，４１ｂ…主面
４２…電極
４３…レジストインク
４４…レジストインク
４５…電極
Ｓ１，Ｓ２…直列腕共振子
Ｐ１，Ｐ２…並列腕共振子
【図１】
2006319888.tif 000003
【図２】
2006319888.tif 000004
【図３】
2006319888.tif 000005
【図４】
2006319888.tif 000006
【図５】
2006319888.tif 000007
【図６】
2006319888.tif 000008
【図７】
2006319888.tif 000009
【図８】
2006319888.tif 000010
【図９】
2006319888.tif 000011
【図１０】
2006319888.tif 000012
【手続補正書】
【提出日】平成17年6月1日(2005.6.1)
【手続補正１】
【補正対象書類名】明細書
【補正対象項目名】００５８
【補正方法】変更
【補正の内容】
【００５８】
そして、上記直列腕共振子Ｓ１，Ｓ２及び並列腕共振子Ｐ１，Ｐ２が、それぞれ、圧電共振子１及び圧電共振子１１を用いて構成されている。従って、抵抗膜６，１６による抵抗値を調整することにより、所望とする電気的抵抗を直列腕共振子Ｓ１，Ｓ２や並列腕共振子Ｐ１，Ｐ２自体に内在させることができる。よって、ラダー型フィルタの群遅延時間特性を上記抵抗値を制御することにより容易に改善することができる。
【手続補正２】
【補正対象書類名】明細書
【補正対象項目名】００５９
【補正方法】変更
【補正の内容】
【００５９】
また、上記抵抗膜６，１６により電気的抵抗を付加するため、抵抗値を変更する必要があった場合には、抵抗膜６，１６を構成する抵抗ペーストの種類を変更したり、抵抗膜６，１６の寸法や厚みを変更したり、環状抵抗膜を部分的な抵抗膜に変更することにより容易に対応することができる。
【手続補正３】
【補正対象書類名】明細書
【補正対象項目名】００６８
【補正方法】削除
【補正の内容】